(57)【要約】【課題】ガタつきを防止して操作性を向上する。【解決手段】本体ケース３の前面パネル３ａには、音量調整操作ノブ２２が設けられている。音量調整操作ノブ２２は、ノブ本体部２２ａと、被保持部２２ｂとを備える。被保持部２２ｂは、外周面に円周方向に沿って伸びる雄円環溝２２ｃが形成されている。被保持部２２ｂの外側には、上ハーフリング５１及び下ハーフリング５２が配されている。各ハーフリング５１，５２は、半円筒状に形成され、内周面に音量調整操作ノブ２２の雄円環溝２２ｃに係合する雌円環溝５１ａ，５２ａが形成されている。各ハーフリング５１，５２は、前面パネル３ａの背面に取り付けたホルダ本体４１に固定されている。音量調整操作ノブ２２の回転に応じて、回転量検出器２７からコード信号が出力される。【選択図】図４
2014089923.tif 000002
【特許請求の範囲】
【請求項１】
電気部品の回転シャフトを回転させるための操作ノブ装置において、
前記回転シャフトに連結される操作ノブと、
前記操作ノブの後端部を回転自在に保持するホルダと、
を備えることを特徴とする操作ノブ装置。
【請求項２】
前記電気部品はパネルの背後に配置され、前記操作ノブは前記パネルの開口に嵌合した状態で、その前端部が前記パネルの前方へ突出していることを特徴とする請求項１記載の操作ノブ装置。
【請求項３】
前記ホルダは、前記パネルと一体に形成され又はその背面に取り付けられていることを特徴とする請求項２記載の操作ノブ装置。
【請求項４】
前記操作ノブの後端部の外周には雄螺旋溝又は複数の雄円環溝が形成され、前記ホルダには前記雄螺旋溝又は複数の雄円環溝に螺合する雌螺旋溝又は複数の雌円環溝が形成されていることを特徴とする請求項２記載の操作ノブ装置。
【請求項５】
前記ホルダは、前記雌螺旋溝又は複数の雌円環溝が形成された一対のハーフリングと、これらのハーフリングをリングに連なった状態で収納するとともに、前記パネルの背面に取り付けられたホルダ本体とを備えることを特徴とする請求項４記載の操作ノブ装置。
【請求項６】
前記ホルダは、複数の雌リングと、この雌リングが前記雌円環溝を構成するように、複数の雌リングを並んだ状態で収納するホルダ本体とを備え、
前記雄円環溝は、前記操作ノブの後端部に並んだ状態で嵌め込まれた複数の雄リングで構成されている、
ことを特徴とする請求項４記載の操作ノブ装置。
【請求項７】
電子回路を収納した本体ケースと、
前記本体ケースの前面に取り付けられたパネルと、
前記パネルの背面に取り付けられ、回転シャフトを有する電気部品と、
前記パネルの開口を通って後端部が前記パネル内に挿入され、この後端部が前記回転シャフトに連結される操作ノブと、
前記パネルと一体に形成され又はこれに取り付けられており、前記操作ノブの後端部を回転自在に保持するホルダと、
を備えることを特徴とする電子機器。
【発明の詳細な説明】
【技術分野】
【０００１】
本発明は、音量調整等のために回転操作される操作ノブ装置及びこれを備えた電子機器に関するものである。
【背景技術】
【０００２】
電子機器例えばオーディオアンプ等は、本体ケース内に電子部品を実装した電子回路基板などが収納され、また、本体ケースの前面に配置したパネルに操作ノブが取り付けられている。本体ケース内には、音量調整用の電気部品、例えばボリュームや回転量検出器（エンコーダ）等が収容されており、その回転シャフトに操作ノブが連結されている。操作ノブをまわすことで、音量調整用の電気部品が操作され、スピーカからの音量が調整される。
【０００３】
ボリュームや回転量検出器の回転シャフトは細いので、これに操作ノブを嵌め込むと、操作ノブがグラツキやすい。そこで、特許文献１には、回転量検出器の回転シャフトの根元側を囲むように、回転シャフトのほぼ２倍程度の直径を有する円筒状凸部を回転量検出器のケースに設けている。さらに、回転つまみホルダを用い、その先端部をパネルの開口を介して本体ケース内に挿入して、回転シャフトに連結するとともに、円筒状凸部に嵌合してグラツキを抑制している。直径の大きな回転つまみ（本発明の操作ノブに相当）は、回転つまみホルダの前端部に嵌合している。
【先行技術文献】
【特許文献】
【０００４】
【特許文献１】特開２００７−０５９０６４号公報
【発明の概要】
【発明が解決しようとする課題】
【０００５】
特許文献１では、回転量検出器に対する操作ノブのガタつきを抑制しているが、回転量検出器自体にガタつきがある場合には、操作ノブにもガタつきが発生するため、操作性が悪く、低品質の印象を与える。
【０００６】
本発明は、操作性を向上して、高品質の印象を与えることができる操作ノブ装置及びこれを備えた電子機器を提供することを目的とする。
【課題を解決するための手段】
【０００７】
上記目的を達成するため、本発明の操作ノブ装置は、電気部品の回転シャフトを回転させるためのものであり、回転シャフトに連結される操作ノブと、操作ノブの後端部を回転自在に保持するホルダと、を備えることを特徴とする。
【０００８】
また、電気部品はパネルの背後に配置され、操作ノブはパネルの開口に嵌合した状態で、その前端部がパネルの前方へ突出していることが好ましい。
【０００９】
さらに、ホルダは、パネルと一体に形成され又はその背面に取り付けられていることが好ましい。
【００１０】
また、操作ノブの後端部の外周には雄螺旋溝又は複数の雄円環溝が形成され、ホルダには雄螺旋溝又は複数の雄円環溝に螺合する雌螺旋溝又は複数の雌円環溝が形成されていることが好ましい。
【００１１】
さらに、ホルダは、雌螺旋溝又は複数の雌円環溝が形成された一対のハーフリングと、これらのハーフリングをリングに連なった状態で収納するとともに、パネルの背面に取り付けられたホルダ本体とを備えることが好ましい。
【００１２】
また、ホルダは、複数の雌リングと、この雌リングが雌円環溝を構成するように、複数の雌リングを並んだ状態で収納するホルダ本体とを備え、雄円環溝は、操作ノブの後端部に並んだ状態で嵌め込まれた複数の雄リングで構成されていることが好ましい。
【００１３】
本発明の電子機器は、電子回路を収納した本体ケースと、本体ケースの前面に取り付けられたパネルと、パネルの背面に取り付けられ、回転シャフトを有する電気部品と、パネルの開口を通って後端部がパネル内に挿入され、この後端部が回転シャフトに連結される操作ノブと、パネルと一体に形成され又はこれに取り付けられており、操作ノブの後端部を回転自在に保持するホルダと、を備えることを特徴とする。
【発明の効果】
【００１４】
本発明によれば、ホルダで操作ノブの後端部を回転自在に保持するから、回転シャフトを有する電気部品自体にガタつきや偏心がある場合にも、操作ノブにガタつきや偏心が発生することがない。これにより、操作性が向上し、高級感を与えることができる。
【図面の簡単な説明】
【００１５】
【図１】オーディオアンプの斜視図である。
【図２】オーディオアンプの側面図である。
【図３】音量調整ユニットを示す斜視図である。
【図４】音量調整ユニットの分解斜視図である。
【図５】音量調整ユニットの断面図である。
【図６】操作ノブ装置の分解断面図である。
【図７】オーディオアンプの電気的構成を示すブロック図である。
【図８】第２実施形態の音量調整ユニットを示す断面図である。
【図９】第２実施形態の音量調整ユニットを示す分解斜視図である。
【図１０】第３実施形態の音量調整ユニットを示す断面図である。
【図１１】第３実施形態の操作ノブ装置を分解して示す断面図である。
【図１２】第３実施形態の音量調整ユニットから回転量検出器を取り外して示す斜視図である。
【図１３】第３実施形態の音量調整ユニットの雌リング及び雄リングを示す分解斜視図である。
【発明を実施するための形態】
【００１６】
［第１実施形態］
図１及び図２において、オーディオアンプ２は、各種の回路部品を収納した本体ケース３を有する。この本体ケース３は、前面パネル３ａと、上板３ｂと、左側面板３ｃと、右側面板３ｄと、底板３ｅと、背面板３ｆとを有する。背面板３ｆには、図７に示す第１Ｌチャンネル入力端子１１ａ、第１Ｒチャンネル入力端子１１ｂ、第２Ｌチャンネル入力端子１２ａ、第２Ｒチャンネル入力端子１２ｂ、Ｌチャンネル出力端子１３ａ、Ｒチャンネル出力端子１３ｂが設けられている。これら各端子１１ａ，１１ｂ，１２ａ，１２ｂ，１３ａ，１３ｂは、回路基板６に接続されている。各入力端子１１ａ〜１２ｂには、ケーブルによりＣＤプレーヤやＤＶＤプレーヤ等の再生機器（図示せず）が接続され、各出力端子１３ａ，１３ｂには、ケーブルによりパワーアンプ（図示せず）が接続される。なお、入力端子の数は適宜変更可能である。
【００１７】
前面パネル３ａには、電源ボタン２１と、音量を調整する回転自在な音量調整操作ノブ２２と、入力元の再生機器を切り換える回転自在な入力切換操作ノブ２３と、ディスプレイ２４とが設けられている。ディスプレイ２４には、第１，第２入力端子１１，１２のうち選択された再生機器に接続されたものの名称（例えば、第１入力端子）が表示される。
【００１８】
図３〜図６に示すように、音量調整ユニット１０は、音量調整操作ノブ２２とホルダ４０とからなる音量調整操作ノブ装置２６と、音量調整用の回転量検出器２７とを備えている。回転量検出器２７は、音量調整操作ノブ装置２６によって回転されると、回転量に応じたコード信号を出力するもので、エンコーダとも呼ばれている。回転量検出器２７は、検出回路を取り付けた基板３１と、この基板３１に取り付けられたケース３２と、このケース３２に回転自在に取り付けられ、前方に突出する略Ｄ字形状の回転シャフト３３と、ケース３２が固定される固定板３４とを備える。
【００１９】
ケース３２の前側部には雄ネジ部３２ａが形成されており、この雄ネジ部３２ａと螺合するナット３６によりケース３２は固定板３４に固定される。固定板３４は、四隅にビス挿通孔３４ａ〜３４ｄが形成され、各ビス挿通孔３４ａ〜３４ｄには、ビス３７ａ〜３７ｄが挿通されている。
【００２０】
固定板３４には、ホルダ本体４１が固定されている。このホルダ本体４１は、音量調整操作ノブ２２が挿入される挿入孔４１ａが形成されている。ホルダ本体４１は、上面にビス挿通孔４１ｂ，４１ｃが、下面にビス挿通孔４１ｄ，４１ｅが形成されている。各ビス挿通孔４１ｂ〜４１ｅには、ビス４２ａ〜４２ｄが挿通される。ホルダ本体４１の背面の四隅には、ビス締め孔（図示せず）が形成されている。このビス締め孔には、固定板３４のビス挿通孔３４ａ〜３４ｄを挿通されたビス３７ａ〜３７ｄがビス締めされ、ホルダ本体４１が固定板３４に固定されている。
【００２１】
ホルダ本体４１の前端部には、フランジ４５が形成されている。このフランジ４５には、ビス挿通孔４５ａ〜４５ｃが形成されている。ビス挿通孔４５ａ〜４５ｃには、ビス４６ａ〜４６ｃが挿通されている。このビス４６ａ〜４６ｃは、前面パネル３ａの背面に形成されたビス締め孔（図示せず）にビス締めされ、ホルダ本体４１が前面パネル３ａの背面に固定されている。
【００２２】
音量調整操作ノブ２２は、指先で摘まれるノブ本体部（前端部）２２ａと、このノブ本体部２２ａの後側に連設された被保持部（後端部）２２ｂとを備える。被保持部２２ｂは、外周面に円周方向に沿って伸びる雄円環溝２２ｃが形成されている。この雄円環溝２２ｃは、被保持部２２ｂの軸方向に複数形成されており、ネジのように連続していない。被保持部２２ｂの中央には、２段の段付き状の円形凹部２２ｄが形成されている。この円形凹部２２ｄの大径部には、外周面が円形で内周面が略Ｄ字形状の取付筒４８が固定されている。この取付筒４８には、Ｄ字形をした回転シャフト３３が挿入される。
【００２３】
被保持部２２ｂの外側には、音量調整操作ノブ２２を回転自在に保持する上ハーフリング５１及び下ハーフリング５２が配されている。各ハーフリング５１，５２は、組付時に各ハーフリング５１，５２の寸法誤差を吸収するために、半円筒よりも小さい例えば１７０°の角度で形成されている。各ハーフリング５１，５２は、内周面に音量調整操作ノブ２２の雄円環溝２２ｃに係合する雌円環溝５１ａ，５２ａが形成されている。各雌円環溝５１ａ，５２ａは、各ハーフリング５１，５２の軸方向に複数形成されている。また、上ハーフリング５１には、ビス４２ａ，４２ｂが固定されるビス締め孔５１ｂ，５１ｃが形成され、下ハーフリング５２には、ビス４２ｃ，４２ｄが固定されるビス締め孔５２ｂ，５２ｃが形成されている。これら上ハーフリング５１及び下ハーフリング５２と、ホルダ本体４１とにより、ホルダ４０は構成されている。
【００２４】
音量調整操作ノブ２２を組み付けるときには、雄円環溝２２ｃにグリス（例えば、一般的な光学用ヘリコイドグリス）を適量塗布し、雄円環溝２２ｃの凸部が、上ハーフリング５１及び下ハーフリング５２の各雌円環溝５１ａ，５２ａの凹部に嵌まるように、上ハーフリング５１を被保持部２２ｂの上側部分に被せ、下ハーフリング５２を被保持部２２ｂの下側部分に被せる。グリスにより、音量調整操作ノブ２２は、適度なフリクションを持った状態で回転自在に各ハーフリング５１，５２に保持される。この状態で、各ハーフリング５１，５２が組み付けられた部分を、ホルダ本体４１の挿入孔４１ａに挿入し、各ビス締め孔５１ｂ，５１ｃ，５２ｂ，５２ｃを各ビス挿通孔４１ｂ〜４１ｅに位置合わせする。そして、ビス４２ａ〜４２ｄを、各ビス挿通孔４１ｂ〜４１ｅを介して各ビス締め孔５１ｂ，５１ｃ，５２ｂ，５２ｃにそれぞれビス締めする。これにより、各ハーフリング５１，５２がホルダ本体４１に固定され、音量調整操作ノブ２２は、回転自在にホルダ本体４１に保持される。
【００２５】
音量調整操作ノブ２２に取り付けられた取付筒４８には、回転シャフト３３が挿入される。取付筒４８の内周面及び回転シャフト３３は、略Ｄ字形状に形成されているので、挿入後に音量調整操作ノブ２２が空回りすることがない。ホルダ本体４１は、固定板３４に固定され、さらに、ホルダ本体４１は、前面パネル３ａの背面に固定される。
【００２６】
図７に示すように、回路基板６には、アンプ回路６１、入力切換回路６２、制御回路６３が設けられている。音量調整操作ノブ装置２６によって回転量検出器２７が回転されると、この回転量に応じたコード信号がアンプ回路６１に送られ、そのゲインが調整され、音量が増減される。入力切換操作ノブ装置７０は、入力切換操作ノブ２３を有する他は、音量調整操作ノブ装置２６と同じ構成をしている。但し、入力切換の位置が分かるように、クリックストップ機構を設けてもよい。入力切換スイッチ７５は、入力切換操作ノブ２３によって一定角度例えば９０°回転（使用に応じて適宜変更可能）されると、ＯＮ／ＯＦＦ信号を出力する。
【００２７】
入力切換回路６２は、入力切換スイッチ７５からのＯＮ／ＯＦＦ信号によって、第１Ｌチャンネルスイッチ８１ａ、第１Ｒチャンネルスイッチ８１ｂを同時にＯＮまたはＯＦＦし、第２Ｌチャンネルスイッチ８２ａ、第２Ｒチャンネルスイッチ８２ｂを同時にＯＮまたはＯＦＦする。第１Ｌチャンネルスイッチ８１ａには、第１Ｌチャンネル入力端子１１ａが接続され、第１Ｒチャンネルスイッチ８１ｂには、第１Ｒチャンネル入力端子１１ｂが接続されている。同様に、スイッチ８２ａ，８２ｂには、各入力端子１２ａ，１２ｂが接続されている。
【００２８】
電源ボタン２１は、ＯＮ／ＯＦＦ信号を制御回路６３に送り、オーディオアンプ２を作動させる。ディスプレイ２４は、制御回路によって所定の表示を行う。
【００２９】
次に、第１実施形態の作用について説明する。オーディオアンプ２を使用するときには、本体ケース３の第１ＬＲ入力端子１１ａ，１１ｂ及び第２ＬＲ入力端子１２ａ，１２ｂにＣＤプレーヤやＤＶＤプレーヤ等の再生機器を、ＬＲ出力端子１３ａ，１３ｂにパワーアンプを、それぞれケーブルにより接続する。次に、電源ボタン２１を操作してオーディオアンプ２を作動させる。
【００３０】
電源をオンした後、入力切換操作ノブ２３を回転操作して、使用する再生機器を選択する。入力切換操作ノブ２３を回転操作すると、入力切換スイッチ７５の回転シャフトが回転される。この回転シャフトが所定角度（９０°）回転すると、入力切換スイッチ７５は、ＯＮ／ＯＦＦ信号を反転する。これによって、入力切換回路６２は、各スイッチ８１ａ，８１ｂ，８２ａ，８２ｂのＯＮ／ＯＦＦを制御して、使用する再生機器を選択する。本実施形態では、入力切換操作ノブ２３を例えば右方向に９０°回転すると、入力切換スイッチ７５がＯＦＦし、入力切換回路６２が第１ＬＲチャンネルスイッチ８１ａ，８１ｂをＯＦＦし、第２ＬＲチャンネルスイッチ８２ａ，８２ｂをＯＮにする。これにより、第２ＬＲ入力端子１２ａ，１２ｂがアンプ回路６１に接続された状態となる。この状態から、入力切換操作ノブ２３を左方向に９０°回転すると、入力切換スイッチ７５がＯＮし、入力切換回路６２は、図７に示すように、スイッチ８２ａ，８２ｂをＯＦＦし、スイッチ８１ａ，８１ｂをＯＮにする。これにより、第１ＬＲ入力端子１１ａ，１１ｂがアンプ回路６１に接続され、使用する再生機器が切り換わる。
【００３１】
入力切換回路６２は、選択された再生機器が接続されている入力端子（第１入力端子）の情報を制御回路６３に送る。制御回路６３は、その情報に基づいて、入力端子の名称である「第１入力端子」を示す信号をディスプレイ２４に表示させる。
【００３２】
選択した再生機器を再生すると、再生信号が第１ＬＲ入力端子１１ａ，１１ｂを介してアンプ回路６１に送られ、音量が増幅される。
【００３３】
音量調整操作ノブ２２を回転操作すると、回転量検出器２７の回転シャフト３３が回転される。この回転シャフト３３の回転量に応じて、回転量検出器２７からコード信号が出力され、アンプ回路６１に送られる。アンプ回路６１は、コード信号に基づいて、ゲインを調整し、再生機器からの再生信号を増幅する。この増幅された信号は、ＬＲ出力端子１３ａ，１３ｂを介してパワーアンプに送られる。
【００３４】
音量調整操作ノブ２２は、回転量検出器２７の回転シャフト３３とは別に、前面パネル３ａに固定されたホルダ本体４１に回転自在に保持されているので、回転シャフト３３や回転量検出器２７自体にガタつきや偏心がある場合にも、音量調整操作ノブ２２にガタつきや偏心が発生することがない。同様に、入力切換操作ノブ２３にガタつきや偏心が発生することもない。また、音量調整操作ノブ２２は、円環溝によってホルダ４０に保持されているから、音量調整操作ノブ２２を回転しても軸方向に移動しない。したがって、音量調整操作ノブ２２の回転角の規制はなくてもよい。
【００３５】
［第２実施形態］
図８及び図９に示す第２実施形態の音量調整操作ノブ装置１００は、音量調整操作ノブ１０２をホルダ１０１にネジ結合したものである。なお、第１実施形態のものと同様の構成部材には同一の符号を付し、その詳細な説明を省略する。
【００３６】
音量調整ユニット１０８は、音量調整操作ノブ１０２とホルダ１０１とからなる音量調整操作ノブ装置１００と、回転量検出器１１０とから構成されている。回転量検出器１１０は、基板１１１と、ケース１１２と、回転シャフト１１３と、円板状の固定板１１４とを備える。回転シャフト１１３は、音量調整操作ノブ１０２の移動量を小さくするために、回転可能範囲が０〜３００°に規制されている。
【００３７】
ケース１１２には雄ネジ部１１２ａが形成されている。固定板１１４は、ビス挿通孔１１４ａ〜１１４ｃが１２０°ピッチで形成され、各ビス挿通孔１１４ａ〜１１４ｃには、ビス１１７ａ〜１１７ｃが挿通されている。
【００３８】
ホルダ１０１は、音量調整操作ノブ１０２が挿入される挿入孔１０１ａが形成されている。ホルダ１０１の内周面には、雌螺旋溝１０１ｂが形成されている。ビス１１７ａ〜１１７ｃにより、ホルダ１０１が固定板１１４に固定されている。
【００３９】
ホルダ１０１には、フランジ１０５が形成されている。このフランジ１０５には、ビス挿通孔１０５ａ〜１０５ｃが形成されている。ビス挿通孔１０５ａ〜１０５ｃには、ビス１０６ａ〜１０６ｃが挿通されている。このビス１０６ａ〜１０６ｃにより、ホルダ１０１が前面パネル３ａの背面に固定されている。
【００４０】
音量調整操作ノブ１０２は、ノブ本体部１０２ａと、被保持部１０２ｂとを備える。被保持部１０２ｂは、外周面にホルダ１０１の雌螺旋溝１０１ｂに螺合する雄螺旋溝１０２ｃが形成されている。被保持部１０２ｂの中央には、円形凹部１０２ｄが形成され、この円形凹部１０２ｄには、取付筒４８が取り付けられている。各螺旋溝１０１ｂ，１０２ｃは、音量調整操作ノブ１０２が所定方向（例えば、時計方向）に回転されたときに、音量調整操作ノブ１０２が後方に移動するような螺旋形状となっている。なお、音量調整操作ノブ１０２を最大（３００°）回転させて最も後方まで移動させたときにも、音量調整操作ノブ１０２がホルダ１０１や雄ネジ部１１２ａに当たることはない。また、本実施形態では、各螺旋溝１０１ｂ，１０２ｃのピッチは０．７５ｍｍであり、音量調整操作ノブ１０２の前後方向の最大移動長さは０．６２５ｍｍとなり極小である。なお、音量調整操作ノブ１０２の回転可能範囲や、各螺旋溝１０１ｂ，１０２ｃのピッチは適宜変更可能である。
【００４１】
音量調整操作ノブ１０２を組み付けるときには、雄螺旋溝１０２ｃにグリスを適量塗布し、雄螺旋溝１０２ｃを、ホルダ１０１の雌螺旋溝１０１ｂに螺合させた後、音量調整操作ノブ１０２を時計方向に回転する。音量調整操作ノブ１０２は、時計方向に回転されると後方に移動する。図８に示す位置まで音量調整操作ノブ１０２を移動させた後、音量調整操作ノブ１０２に取り付けられた取付筒４８に回転シャフト１１３を挿入する。そして、ビス１１７ａ〜１１７ｃにより、ホルダ１０１を固定板１１４に固定する。
【００４２】
回転シャフト１１３が取り付けられた音量調整操作ノブ１０２を回転操作すると、回転シャフト１１３も回転される。回転量検出器１１０は、出力したコード信号をアンプ回路６１に送る。アンプ回路６１は、コード信号に基づいて、再生機器からの再生信号を増幅する。
【００４３】
音量調整操作ノブ１０２は、前面パネル３ａに固定されたホルダ１０１に回転自在に保持されているので、回転シャフト１１３や回転量検出器１１０自体にガタつきや偏心がある場合にも、音量調整操作ノブ１０２にガタつきや偏心が発生することがない。
【００４４】
［第３実施形態］
図１０〜図１３に示す第３実施形態の音量調整操作ノブ装置１５０は、第１実施形態の円環溝を、先端が尖ったリングで構成したものである。なお、第１実施形態のものと同様の構成部材には同一の符号を付し、その詳細な説明を省略する。
【００４５】
音量調整ユニット１５８は、音量調整操作ノブ１５２とホルダ１４０とからなる音量調整操作ノブ装置１５０と、回転量検出器１６０とから構成されている。回転量検出器１６０は、基板１６１と、ケース１６２と、回転シャフト１６３と、固定板１６４とを備える。ケース１６２には雄ネジ部１６２ａが形成されている。固定板１６４は、四隅にビス挿通孔１６４ａ〜１６４ｄが形成されている。各ビス挿通孔１６４ａ〜１６４ｄには、ビス１６７ａ〜１６７ｄが挿通されている。
【００４６】
ホルダ本体１５１は、挿入孔１５１ａが形成されている。ホルダ本体１５１の背面には、ビス締め孔１５１ｂ〜１５１ｅが形成されている。各ビス締め孔１５１ｂ〜１５１ｅには、固定板１６４のビス挿通孔１６４ａ〜１６４ｄを挿通されたビス１６７ａ〜１６７ｄがビス締めされている。ホルダ本体１５１の背面には、凹部１５１ｆ〜１５１ｈが形成されている。各凹部１５１ｆ〜１５１ｈの底面には、ビス締め孔（図示せず）が形成され、フランジ付きのビス１６９ａ〜１６９ｃがビス締めされている。各ビス１６９ａ〜１６９ｃのフランジは、挿入孔１５１ａに突出している。
【００４７】
ホルダ本体１５１の前端部には、フランジ１５５が形成されている。フランジ１５５の前面の四隅には、円形状の凸部１５５ａ〜１５５ｄが形成されている。フランジ１５５には、凸部１５５ａ〜１５５ｄを貫通するビス挿通孔１５５ｅ〜１５５ｈが形成されている。ビス挿通孔１５５ｅ〜１５５ｈには、ビス１５６ａ〜１５６ｄが挿通されている。
【００４８】
音量調整操作ノブ１５２は、ノブ本体部１５２ａと、２段の段付き状の被保持部１５２ｂとを備える。被保持部１５２ｂの後端部には、螺旋溝１５２ｃ（雄ネジ）が形成されている。被保持部１５２ｂの中央には、円形凹部１５２ｄが形成されている。
【００４９】
被保持部１５２ｂには、内周面がギア歯形状に凹んだ第１〜第６雌リング１７１〜１７６が通されている。また、被保持部１５２ｂには、外周面がギア歯形状に突出した第１〜第５雄リング１８１〜１８５が通されている。これらは、第１雌リング１７１、第１雄リング１８１、第２雌リング１７２、第２雄リング１８２・・・第６雌リング１７６の順に通されている。ナット１８８は、螺旋溝１５２ｃと螺合し、第１〜第５雄リング１８１〜１８５を、被保持部１５２ｂの段差部との間に挟み込む。ホルダ本体１５１の前端部には、挿入孔１５１ａに向けて突出し、第１雌リング１７１を受ける受けリブ１５１ｉが全周に亘って形成されている。各雌リング１７１〜１７６と、ホルダ本体１５１とによりホルダ１４０は構成されている。なお、図１３では、第１雌リング１７１、第１雄リング１８１、ナット１８８のみを図示している。
【００５０】
音量調整操作ノブ１５２を組み付けるときには、被保持部１５２ｂをホルダ本体１５１の挿入孔１５１ａに挿入し、第１〜第６雌リング１７１〜１７６及び第１〜第５雄リング１８１〜１８５を被保持部１５２ｂに通す。ナット１８８を螺旋溝１５２ｃに螺合させて、各雄リング１８１〜１８５を、被保持部１５２ｂの段差部との間に挟み込み、被保持部１５２ｂに固定する。なお、各雄リング１８１〜１８５は、外周面にグリスを適量塗布した状態で組み付けられる。
【００５１】
ホルダ本体１５１の凹部１５１ｆ〜１５１ｈに、各ビス１６９ａ〜１６９ｃをビス締めすると、第１〜第６雌リング１７１〜１７６は、挿入孔１５１ａに突出した各ビス１６９ａ〜１６９ｃのフランジと、受けリブ１５１ｉとの間で挟み込まれ、ホルダ本体１５１に固定される。これにより、第１〜第６雌リング１７１〜１７６と第１〜第５雄リング１８１〜１８５とが係合され、音量調整操作ノブ１５２は、ホルダ本体１５１に回転自在に保持される。
【００５２】
なお、上記実施形態では、前面パネルに取り付けられるホルダによりノブを回転自在に保持しているが、ホルダを前面パネルに一体に形成し、前面パネルによりノブを回転自在に保持してもよい。
【００５３】
また、上記実施形態では、コード信号を出力する回転量検出器を電気部品として説明しているが、回転を保持するものであれば、可変抵抗器を用いたボリューム、ロータリスイッチ等の回転スイッチでもよい。さらに、操作ノブには、操作つまみ、操作ダイヤルも含まれるものである。
【００５４】
さらに、上記実施形態では、電子機器としてオーディオアンプについて説明しているが、ビデオレコーダー、ＴＶカメラ、パソコン等にも本発明を実施することができる。
【符号の説明】
【００５５】
２  オーディオアンプ
３  本体ケース
３ａ  前面パネル
１０，１０８，１５８  音量調整ユニット
２２，１０２，１５２  音量調整操作ノブ
２２ａ，１０２ａ，１５２ａ  ノブ本体部
２２ｂ，１０２ｂ，１５２ｂ  被保持部
２２ｃ  雄円環溝
２３  入力切換操作ノブ
２６，１００，１５０  音量調整操作ノブ装置
２７，１１０，１６０  回転量検出器
３３，１１３，１６３  回転シャフト
４０，１０１，１４０  ホルダ
４１，１５１  ホルダ本体
５１  上ハーフリング
５１ａ  雌円環溝
５２  下ハーフリング
５２ａ  雌円環溝
１０１ｂ  雌螺旋溝
１０２ｃ  雄螺旋溝
１７１〜１７６  第１〜第６雌リング
１８１〜１８５  第１〜第５雄リング
【図１】
2014089923.tif 000003
【図２】
2014089923.tif 000004
【図３】
2014089923.tif 000005
【図４】
2014089923.tif 000006
【図５】
2014089923.tif 000007
【図６】
2014089923.tif 000008
【図７】
2014089923.tif 000009
【図８】
2014089923.tif 000010
【図９】
2014089923.tif 000011
【図１０】
2014089923.tif 000012
【図１１】
2014089923.tif 000013
【図１２】
2014089923.tif 000014
【図１３】
2014089923.tif 000015